(57)【要約】【課題】  押鍵操作時に鍵を強く押鍵しても弱く押鍵しても、鍵に付与される反力のタイミングをほぼ一定の状態に近づけることができる鍵盤装置を提供する。【解決手段】  鍵２にハンマーガイド部１７を設け、ハンマー部材３にはハンマーガイド部１７に摺動可能に保持された鍵当接摺動部２３を設け、この鍵当接摺動部２３に鍵２の押鍵力に応じて弾性変形する弾性変形部２５を設けた。従って、押鍵操作によりハンマー部材３が鍵２にアクション荷重を付与しながら、ハンマー部材３の鍵当接摺動部２３がハンマーガイド部１７のガイド枠１９に押し下げられて摺動する際、鍵２の押鍵力に応じて鍵当接摺動部２３の弾性変形部２５が弾性変形する。これにより、鍵２に付与される反力のタイミングを押鍵力に応じてずらすことができるので、鍵２を強く押鍵しても弱く押鍵しても、鍵に付与される反力のタイミングをほぼ一定の状態に近づけることができる。【選択図】        図１
2010160260.tif 000002
【特許請求の範囲】
【請求項１】
鍵盤シャーシと、この鍵盤シャーシ上に上下方向に回動可能に配置された複数の鍵と、この複数の鍵にそれぞれ対応して配置され、前記鍵の押鍵操作に伴って回動変位して前記鍵にアクション荷重を付与するハンマー部材とを備えた鍵盤装置において、
前記鍵にはハンマーガイド部が設けられ、前記ハンマー部材には前記ハンマーガイド部に摺動可能に保持された鍵当接摺動部が設けられ、この鍵当接摺動部と前記ハンマーガイド部との一方には前記鍵の押鍵力に応じて弾性変形する弾性変形部が設けられていることを特徴とする鍵盤装置。
【請求項２】
前記弾性変形部は、前記鍵当接摺動部に設けられていることを特徴とする請求項１に記載の鍵盤装置。
【請求項３】
前記弾性変形部は、前記ハンマーガイド部に設けられていることを特徴とする請求項１に記載の鍵盤装置。
【請求項４】
前記弾性変形部は、前記鍵に対する押鍵力が予め定められた強さの押鍵力で押鍵されたときに弾性変形する第１変形部と、前記予め定められた強さの押鍵力よりも強い押鍵力で押鍵されたときに前記第１変形部と共に弾性変形する第２変形部とを備えていることを特徴とする請求項１〜請求項３のいずれかに記載の鍵盤装置。
【発明の詳細な説明】
【技術分野】
【０００１】
この発明は、電子ピアノなどの鍵盤楽器に用いられる鍵盤装置に関する。
【背景技術】
【０００２】
従来、電子ピアンなどの鍵盤楽器においては、特許文献１に記載されているように、アコ−スティックピアノの鍵タッチ感に近似した鍵タッチ感を得るために、鍵の下側に錘を有するハンマー部材を上下方向に回動可能に設け、鍵の押鍵操作に伴ってハンマー部材がその錘の重量に抗して回動することにより、鍵に所定のアクション荷重を付与するように構成されたものが知られている。
【０００３】
この種の鍵盤楽器は、鍵盤シャーシに設けられたハンマー支持部にハンマー部材を回動可能に支持すると共に、鍵に延出部を下側に向けて延設し、この延出部の下部にハンマー保持部を設け、このハンマー保持部でハンマー部材の先端部に設けられた鍵当接部を摺動可能に保持し、この状態で鍵が押されると、鍵のハンマー保持部がハンマー部材の鍵当接部を押し下げて、ハンマー支持部を中心にハンマー部材を回動させて鍵にアクション荷重を付与するように構成されている。
【０００４】
このような鍵盤楽器では、押鍵操作時に鍵のハンマー保持部が弾性変形せずに、鍵の押鍵力がそのままハンマー部材の鍵当接部に伝わるので、鍵を強く押鍵しても、また鍵を弱く押鍵しても、鍵の回動動作をハンマー部材に確実に伝えることができる。このため、鍵の回動動作に対してハンマー部材の回動動作が遅れることがなく、鍵の動作をハンマー部材にほぼ同時に伝えることができる。
【先行技術文献】
【特許文献】
【０００５】
【特許文献１】特開２００４−２２６６８７号公報
【発明の概要】
【発明が解決しようとする課題】
【０００６】
しかしながら、このような従来の鍵盤装置では、鍵の動作をハンマー部材にほぼ同時に伝えることができるため、鍵を強く押鍵したときと、鍵を弱く押鍵したときとでは、ハンマー部材によって鍵に付与される反力のタイミングに違いが生じるという問題がある。
【０００７】
すなわち、鍵を強く押鍵したときとには、ハンマー部材が早く回動するので、鍵に付与される反力のピークが早くなる。また、鍵を弱く押鍵したときとには、ハンマー部材がゆっくり回動するので、鍵に付与される反力のピークが遅くなる。このため、鍵を強く押鍵したときと、弱く押鍵したときとでは、鍵に付与される反力のタイミングが異なり、鍵タッチ感に違和感が生じるという問題がある。
【０００８】
この発明が解決しようとする課題は、押鍵操作時に鍵を強く押鍵しても、弱く押鍵しても、鍵に付与される反力のタイミングをほぼ一定の状態に近づけることができる鍵盤装置を提供することである。
【課題を解決するための手段】
【０００９】
この発明は、上記課題を解決するために、次のような構成要素を備えている。
請求項１に記載の発明は、鍵盤シャーシと、この鍵盤シャーシ上に上下方向に回動可能に配置された複数の鍵と、この複数の鍵にそれぞれ対応して配置され、前記鍵の押鍵操作に伴って回動変位して前記鍵にアクション荷重を付与するハンマー部材とを備えた鍵盤装置において、前記鍵にはハンマーガイド部が設けられ、前記ハンマー部材には前記ハンマーガイド部に摺動可能に保持された鍵当接摺動部が設けられ、この鍵当接摺動部と前記ハンマーガイド部との一方には前記鍵の押鍵力に応じて弾性変形する弾性変形部が設けられていることを特徴とする鍵盤装置である。
【００１０】
請求項２に記載の発明は、前記弾性変形部が、前記鍵当接摺動部に設けられていることを特徴とする請求項１に記載の鍵盤装置である。
【００１１】
請求項３に記載の発明は、前記弾性変形部が、前記ハンマーガイド部に設けられていることを特徴とする請求項１に記載の鍵盤装置である。
【００１２】
請求項４に記載の発明は、前記弾性変形部が、前記鍵に対する押鍵力が予め定められた強さの押鍵力で押鍵されたときに弾性変形する第１変形部と、前記予め定められた強さの押鍵力よりも強い押鍵力で押鍵されたときに前記第１変形部と共に弾性変形する第２変形部とを備えていることを特徴とする請求項１〜請求項３のいずれかに記載の鍵盤装置である。
【発明の効果】
【００１３】
この発明によれば、押鍵操作によりハンマー部材が鍵にアクション荷重を付与しながらハンマー部材の鍵当接摺動部が鍵のハンマーガイド部に保持されて摺動する際、鍵の押鍵力に応じて弾性変形部が弾性変形することにより、鍵に付与される反力のタイミングを押鍵力に応じてずらすことができるので、押鍵操作時に鍵を強く押鍵しても弱く押鍵しても、鍵に付与される反力のタイミングをほぼ一定の状態に近づけることができる。
【図面の簡単な説明】
【００１４】
【図１】この発明を適用した鍵盤装置の実施形態１を示した断面図である。
【図２】図１の要部を示した拡大断面図である。
【図３】図２の鍵当接摺動部を正面側から見た場合の拡大図である。
【図４】図２のＡ−Ａ矢視において鍵を予め定められた強さの押鍵力で押鍵した場合の要部を示した拡大図である。
【図５】図４において鍵を予め定められた強さの押鍵力よりも強い押鍵力で押鍵した場合の要部を示した拡大図である。
【図６】図１の鍵を押鍵した際に鍵に付与される反力と押鍵時間との特性を示し、（ａ）は鍵を予め定められた強さの押鍵力で押鍵した場合の特性図、（ｂ）鍵を予め定められた強さの押鍵力よりも強い押鍵力で押鍵した場合の特性図である。
【図７】この発明を適用した鍵盤装置の実施形態２における要部を示した拡大断面図である。
【図８】図７の鍵においてハンマーガイド部を正面側から見た場合の拡大図である。
【図９】図７のＢ−Ｂ矢視において鍵を予め定められた強さの押鍵力で押鍵した場合の要部を示した拡大図である。
【図１０】図９において鍵を予め定められた強さの押鍵力よりも強い押鍵力で押鍵した場合の要部を示した拡大図である。
【図１１】この発明の弾性変形部の第１変形例を示した要部の拡大図である。
【図１２】この発明の弾性変形部の第２変形例を示した要部の拡大図である。
【図１３】この発明の弾性変形部の第３変形例を示した要部の拡大図である。
【発明を実施するための形態】
【００１５】
（実施形態１）
以下、図１〜図６を参照して、この発明を適用した鍵盤装置の実施形態１について説明する。
この鍵盤装置は、図１に示すように、合成樹脂製の鍵盤シャーシ１と、この鍵盤シャーシ１上に上下方向に回動可能に配置された複数の鍵（白鍵と黒鍵、ただしここでは１つの白鍵について説明する。）２と、これら複数の鍵２にそれぞれアクション荷重を付与するハンマー部材３と、各鍵２の押鍵動作に応じてそれぞれオン信号を出力するゴムスイッチ４と、鍵盤シャーシ１の後端部に設けられて鍵２の後端部の上側を覆う上部ケース５とを備えている。
【００１６】
鍵盤シャーシ１は、図１に示すように、楽器本体の下部ケースを構成するものであり、その前端部（図１では右端部）には、前脚部６が底部から上方に突出して形成されている。この前脚部６の前端部（図１では右端部）には、鍵２の前端面に対応する前カバー部７が前部上方（図１では右側上方）に突出して形成されている。この前脚部６の上部には、鍵２の横振れを防ぐための鍵ガイド部６ａが設けられている。
【００１７】
また、前脚部６の後部側（図１では左部）には、図１に示すように、ハンマー載置部８が前カバー部７の高さに対して十分に低い高さで形成されている。このハンマー載置部８の上部には、ハンマー部材３を支持するためのハンマー支持部９が上方に突出して設けられている。このハンマー支持部９には、ハンマー部材３を回動可能に支持する支持軸９ａが設けられている。
【００１８】
また、鍵盤シャーシ１の中間部、つまりハンマー鍵載置部８の後部側には、図１に示すように、基板載置部１０が前カバー部７の高さよりも少し低い高さで形成されている。この基板載置部１０の上面には、ゴムスイッチ４を搭載するためのスイッチ基板１１が取り付けられている。この場合、基板載置部１０とハンマー載置部８との間には、立上り部１２が形成されており、この立上り部１２には、後述するハンマー部材３の前部側を挿入させてハンマー鍵載置部８の上方に配置させるためのハンマー挿入用の開口部１２ａが形成されている。
【００１９】
さらに、鍵盤シャーシ１の後部、つまり基板載置部１０の後部側には、図１に示すように、鍵載置部１３が前カバー部６とほぼ同じ高さで形成されている。この鍵載置部１３の上面には、鍵支持部１４が形成されている。この鍵支持部１４には、鍵２の後端部を上下方向に回動可能に支持する支持軸１４ａが設けられている。
【００２０】
なお、鍵盤シャーシ１の鍵載置部１３の後端部には、図１に示すように、鍵盤シャーシ１の後端部を支持する後脚部１５が垂下されている。また、この後脚部１５の後端部には、上部ケース５が鍵盤シャーシ１の後短部側と鍵２の後端部側とを覆った状態で取り付けられている。この上部ケース５の内部には、スピーカＳＰが設けられている。
【００２１】
一方、鍵２は、図１に示すように、その後端部（図１では左端部）が鍵盤シャーシ１の鍵載置部１３上に設けられた鍵支持部１４の支持軸１４ａに上下方向に回動可能に支持されている。この鍵２の中間部には、鍵盤シャーシ１の基板載置部１０上に取り付けられたスイッチ基板１１のゴムスイッチ４を押圧するためのスイッチ押圧部１６が下側に突出して形成されている。
【００２２】
この場合、ゴムスイッチ４は、図１に示すように、スイッチ基板１１上に配置されたゴムシートを備え、このゴムシートにドーム状の膨出部が鍵２のスイッチ押圧部１６に対応して形成され、この膨出部がスイッチ押圧部１６によって押圧された際に、膨出部が弾性変形して、その内部の可動接点がスイッチ基板１１の固定接点に接触してオン信号を出力するように構成されている。
【００２３】
また、鍵２のスイッチ押圧部１６の前側（図１では右側）に位置する鍵２の箇所には、図１に示すように、ハンマーガイド部１７が鍵２の下側に向けて突出して形成されている。このハンマーガイド部１７は、図２、図４、および図５に示すように、前板部１７ａと、この前板部１７ａの両側に設けられた一対の側板部１７ｂとを備えている。
【００２４】
この前板部１７ａの下部側には、図４および図５に示すように、後述するハンマー部材３の前端部に位置する鍵当接摺動部２３が挿入する縦長の長方形の開口部１８が設けられている。また、この開口部１８の縁部には、図２に示すように、ハンマー部材３の鍵当接摺動部２３が挿入して押鍵操作に応じて摺動可能に保持するガイド枠１９が形成されている。
【００２５】
ハンマー部材３は、図１に示すように、ハンマー本体２０と、このハンマー本体２０の後部（図１では左側部）に設けられた錘部２１と、ハンマー本体２０の前側下部（図１では右側した部）に設けられてハンマー本体２０の回動中心となる合成樹脂製の回動支持部２２と、ハンマー本体２０の前端部(図１では右端部)に設けられた鍵当接摺動部２３とを備えている。
【００２６】
このハンマー部材３は、図１に示すように、ハンマー本体２０の鍵当接摺動部２３を鍵盤シャーシ１の下側から立上り部１２の開口部１２ａに挿入させて、ハンマー載置部８の上側に配置し、この状態でハンマー本体２０の回動支持部２２をハンマー載置部８上に設けられたハンマー支持部９の支持軸９ａに回動可能に取り付けることにより、ハンマー本体２０がハンマー支持部９の支持軸９ａを中心に上下方向に回動するように構成されている。
【００２７】
また、このハンマー部材３は、図１および図２に示すように、ハンマー本体２０の回動支持部２２がハンマー支持部９の支持軸９ａに回動可能に取り付けられた際に、ハンマー本体２０の前端部に設けられた鍵当接摺動部２３が鍵２のハンマーガイド部１７に形成された開口部１８のガイド枠１９内に摺動可能に挿入されるように構成されている。
【００２８】
これにより、ハンマー部材３は、図１および図２に示すように、鍵２が上方から押鍵されると、鍵２のハンマーガイド部１７によってハンマー本体２０の鍵当接摺動部２３が錘部２１の重量に抗して押し下げられ、これに伴ってハンマー本体２０がハンマー支持部９の支持軸９ａを中心に時計回りに回動し、ハンマー本体２０の後部が鍵盤シャーシ１の鍵載置部１３の下面に設けられたフェルトなどの上限ストッパ２４に当接するように構成されている。
【００２９】
この場合、ハンマー部材３の鍵当接摺動部２３は、ウレタン樹脂などの合成樹脂で形成されている。この鍵当接摺動部２３の上端面には、図１〜図３に示すように、弾性変形部２５が形成されており、この鍵当接摺動部２３の下端面には、摺動突起２６が形成されている。上端側の弾性変形部２５は、ハンマーガイド部１７のガイド枠１９における上側枠部１９ａの内面に接触して摺動する。下端側の摺動突起２６は、ガイド枠１９の下側枠部１９ｂの内面に接触して摺動する。
【００３０】
ところで、弾性変形部２５は、図２〜図５に示すように、鍵２の押鍵力に応じて弾性変形するものであり、鍵当接摺動部２３よりも軟らかいエラストマーなどの弾性を有する合成樹脂からなり、２色成形によって鍵当接摺動部２３の上端面に一体に形成されている。また、この弾性変形部２５は、図３に示すように、鍵２に対する押鍵力が予め定められた強さの押鍵力で押鍵されたときに弾性変形する第１変形部２７と、予め定められた強さの押鍵力よりも強い押鍵力で押鍵されたときに第１変形部２７と共に弾性変形する第２変形部２８とを備えている。
【００３１】
この場合、第２変形部２８は、図２および図３に示すように、鍵当接摺動部２３の上端面にほぼ一定の厚みで円弧状に形成されている。この第２変形部２８は、そのばね定数（弾性係数）Ｋ２が鍵当接摺動部２３のばね定数（弾性係数）Ｋ３よりも十分に小さく（Ｋ２＜Ｋ３）形成されされている。
【００３２】
また、第１変形部２７は、図２および図３に示すように、第２変形部２８の上面における両側に前後方向（図２では左右方向）に沿って連続して設けられた一対の突起部と、この一対の各突起部中にそれぞれ形成された空洞部２７ａとを有している。この第１変形部２７は、これら全体のばね定数（弾性係数）Ｋ１が第２変形部２８のばね定数（弾性係数）Ｋ２よりも小さく（Ｋ１＜Ｋ２＜Ｋ３）形成されている。
【００３３】
これにより、弾性変形部２５は、鍵２が予め定められた強さの押鍵力で押鍵されたときに、図４に示すように、第１変形部２７のみが弾性変形しながら、第１変形部２７がガイド枠１９の上側枠部１９ａの内面に弾接して摺動する。また、この弾性変形部２５は、鍵２が予め定められた強さの押鍵力よりも強い押鍵力で押鍵されたときに、図５に示すように、第１変形部２７と共に第２変形部２８も弾性変形しながら、第１変形部２７がガイド枠１９の上側枠部１９ａの内面に弾接して摺動する。
【００３４】
なお、この弾性変形部２５は、鍵２が予め定められた強さの押鍵力よりも弱い押鍵力で押鍵されたときに、図示しないが、第１変形部２７と第２変形部２８とのいずれも弾性変形せずに、第１変形部２７がガイド枠１９の上側枠部１９ａの内面に接触した状態で、ガイド枠１９によって押し下げられながら摺動する。
【００３５】
次に、この鍵盤装置の鍵２を押鍵したときの作用について説明する。
図１において、鍵２を押鍵すると、鍵盤シャーシ１の鍵載置部１３上に設けられた鍵支持部１４の支持軸１４ａを中心に鍵２が時計回りに回動する。このときには、鍵２の前端部が鍵ガイド部７によってガイドされながら下側に移動し、鍵２のハンマーガイド部１７がハンマー部材３の前端部に位置する鍵当接摺動部２３を押し下げる。
【００３６】
これに伴って、ハンマー部材３は、ハンマー本体２０の錘部２１の重量に抗して、回動支持部２２が鍵盤シャーシ１のハンマー載置部８上に設けられたハンマー支持部８の支持軸９ａを中心にハンマー本体２０と共に時計回りに回動する。このときには、図６（ａ）および図６（ｂ）に示すように、鍵２の鍵荷重が急激に重くなる。
【００３７】
この後、鍵２が更に押し下げられてハンマー部材３が更に時計回りに回動すると、図６（ａ）および図６（ｂ）に示すように、鍵２の鍵荷重が軽くなった後に、鍵２のスイッチ押圧部１６が鍵盤シャーシ１の基板載置部１０上に配置されたスイッチ基板１１のゴムスイッチ４を押圧する。このため、図６（ａ）および図６（ｂ）に示すように、鍵２の鍵荷重が次第に重くなる。
【００３８】
この状態で、更に鍵２が押し下げられてハンマー部材３が更に時計回りに回動し、鍵２のスイッチ押圧部１６によってゴムスイッチ４が弾性変形を開始すると、図６（ａ）および図６（ｂ）に示すように、鍵２の鍵荷重が次第に軽くなる。そして、更に鍵２が押し下げられてハンマー部材３が更に時計回りに回動し、ハンマー本体２０の後端部が鍵盤シャーシ１の鍵載置部１３の下面に設けられたフェルトなどの上限ストッパ２４に当接すると、図６（ａ）および図６（ｂ）に示すように、鍵２の鍵荷重が急激に重くなる。
【００３９】
このように、鍵２が押鍵されてハンマー部材３が回動する際に、鍵２を予め定められた強さの押鍵力よりも弱い力で押鍵したときには、図示しないが、ハンマー部材３の鍵当接摺動部２３に設けられた弾性変形部２５がほとんど弾性変形せず、鍵２のハンマーガイド部１７に設けられたガイド枠１９の上側枠部１９ａの内面に沿って押し下げながら摺動する。
【００４０】
また、鍵２を予め定められた強さの押鍵力で押鍵したときには、その押鍵力に応じて弾性変形部２５の第１変形部２７のみが弾性変形し、この第１変形部２７がハンマーガイド部１７のガイド枠１９における上側枠部１９ａの内面に沿って押し下げながら摺動する。このときには、図６(ａ)に示すように、ハンマー部材３によって鍵２に付与される反力が最大になった時点Ｈ１から、ゴムスイッチ４によって鍵２に付与される反力が最大になる時点Ｈ２までの間に、弾性変形部２５の第１変形部２７のみが順次、弾性変形する。
【００４１】
このため、ハンマー本体２０によって鍵２に付与される反力が最大になった時点Ｈ１から、ゴムスイッチ４によって鍵２に付与される反力が最大になる時点Ｈ２までの間の時間（以下、反力の遅れ時間Ｔ１と称する）は、第１変形部２７の弾性変形に応じて遅れる。これにより、鍵２を予め定められた強さの押鍵力で押鍵したときには、鍵２を予め定められた強さの押鍵力よりも弱い押鍵力で押鍵したときとの反力の遅れ時間（図示せず）とほぼ同じ時間に近づくことになる。
【００４２】
また、鍵２を予め定められた強さの押鍵力よりも強い押鍵力で押鍵したときには、その押鍵力に応じて弾性変形部２５の第１変形部２７と第２変形部２８との両方が弾性変形し、この第１、第２の各変形部２７、２８がハンマーガイド部１７のガイド枠１９における上側枠部１９ａの内面に沿って押し下げられながら摺動する。このときには、図６(ｂ)に示すように、ハンマー部材３によって鍵２に付与される反力が最大になった時点Ｈ３から、ゴムスイッチ４によって鍵２に付与される反力が最大になる時点Ｈ４までの間に、弾性変形部２５の第１変形部２７と第２変形部２８との両方が順次、弾性変形する。
【００４３】
このため、ハンマー本体２０によって鍵２に付与される反力が最大になった時点Ｈ３から、ゴムスイッチ４によって鍵２に付与される反力が最大になる時点Ｈ４までの間の時間（以下、反力の遅れ時間Ｔ２と称する）は、第１変形部２７と第２変形部２８との両方の弾性変形に応じて遅れる。これにより、鍵２を予め定められた強さの押鍵力よりも強い力で押鍵したときには、鍵２を予め定められた押鍵力で押鍵したときとの反力の遅れ時間Ｔ１とほぼ同じ時間（Ｔ２≒Ｔ１）に近づくことになる。
【００４４】
このように、この鍵盤装置によれば、押鍵操作によってハンマー部材３が鍵２にアクション荷重を付与しながら、ハンマー部材３の鍵当接摺動部２３が鍵２のハンマーガイド部１７のガイド枠１９に沿って押し下げられながら摺動する際、鍵２の押鍵力に応じて鍵当接摺動部２３に設けられた弾性変形部２５が弾性変形することにより、鍵２に付与される反力のタイミングを押鍵力に応じてずらすことができる。このため、押鍵操作時に鍵２を強く押鍵しても弱く押鍵しても、鍵に付与される反力のタイミングをほぼ一定の状態に近づけることができる。
【００４５】
この場合、鍵当接摺動部２３に設けられた弾性変形部２５は、鍵２に対する押鍵力が予め定められた強さの押鍵力で押鍵されたときに弾性変形する第１変形部２７と、予め定められた強さの押鍵力よりも強い押鍵力で押鍵されたときに第１変形部２７と共に弾性変形する第２変形部２８とを備えていることにより、鍵２を予め定められた強さの押鍵力で押鍵したときに第１変形部２７のみを弾性変形させることができ、また鍵２を予め定められた強さの押鍵力よりも強い押鍵力で押鍵したときに第１、第２の各変形部２７、２８を弾性変形させることができる。
【００４６】
このため、押鍵操作時にハンマー本体２０によって鍵２に付与される反力が最大になった時点Ｈ１、Ｈ３から、ゴムスイッチ４によって鍵２に付与される反力が最大になる時点Ｈ２、Ｈ４までの間に、弾性変形部２５が押鍵力に応じて順次、弾性変形することにより、鍵２に付与される反力のタイミングを遅らせることができる。これにより、ハンマー本体２０によって鍵２に付与される反力が最大になった時点Ｈ１、Ｈ３から、ゴムスイッチ４によって鍵２に付与される反力が最大になる時点Ｈ２、Ｈ４までの間の時間、つまり反力の遅れ時間Ｔ１、Ｔ２をほぼ同じ時間（Ｔ１≒Ｔ２）に近づけることができる。
【００４７】
すなわち、鍵２を予め定められた強さの押鍵力で押鍵したときには、その押鍵力に応じて弾性変形部２５の第１変形部２７のみが弾性変形するので、この第１変形部２７の弾性変形に応じて鍵２に付与される反力Ｈ２のタイミングを遅らせることができる。これにより、鍵２を予め定められた強さの押鍵力で押鍵したときの反力の遅れ時間Ｔ１を、鍵２を予め定められた押鍵力よりも弱い押鍵力で押鍵したときとの反力の遅れ時間とほぼ同じ時間に近づけることができる。
【００４８】
また、鍵２を予め定められた強さの押鍵力よりも強い押鍵力で押鍵したときには、その押鍵力に応じて弾性変形部２５の第１変形部２７と第２変形部２８との両方が弾性変形するので、この第１、第２の各変形部２７、２８の両方による弾性変形に応じて鍵２に付与される反力Ｈ４のタイミングを十分に遅らせることができる。これにより、鍵２を予め定められた強さの押鍵力よりも強い押鍵力で押鍵したときの反力の作用時間Ｔ２を、鍵２を予め定められた強さの押鍵力で押鍵したときとの反力の遅れ時間Ｔ１とほぼ同じ時間（Ｔ２≒Ｔ１）に近づけることができる。
【００４９】
(実施形態２)
次に、図７〜図１０を参照して、この発明を適用した鍵盤装置の実施形態２について説明する。なお、図１〜図６に示された実施形態１と同一部分には同一符号を付して説明する。
この鍵盤装置は、図７に示すように、ハンマー部材３の鍵当接摺動部２３が当接して摺動する鍵２のハンマーガイド部１７に弾性変形部３０を設けた構成であり、これ以外は実施形態１とほぼ同じ構成になっている。
【００５０】
すなわち、この弾性変形部３０は、図７〜図１０に示すように、ハンマー部材３の鍵当接摺動部２３が当接して摺動する鍵２ハンマーガイド部１７におけるガイド枠１９の上側枠部１９ａの内面（図８では下面）に設けられている。この弾性変形部３０も、実施形態１と同様、鍵２の押鍵力に応じて弾性変形するものであり、エラストマーなどの弾性を有する合成樹脂からなり、２色成形によってガイド枠１９の上側枠部１９ａの内面に一体に形成されている。
【００５１】
この場合にも、弾性変形部３０は、図８に示すように、鍵２に対する押鍵力が予め定められた強さの押鍵力で押鍵されたときに弾性変形する第１変形部３１と、予め定められた強さの押鍵力よりも強い押鍵力で押鍵されたときに第１変形部３１と共に弾性変形する第２変形部３２とを備えている。この第２変形部３２は、図７および図８に示すように、ガイド枠１９の上側枠部１９ａの下面にほぼ一定の厚みで形成されている。この第２変形部３２も、そのばね定数（弾性係数）Ｋ２に形成されている。
【００５２】
また、第１変形部３１は、図２および図５に示すように、第２変形部３２の下面における両側に前後方向（図７では左右方向）に沿って連続して形成された一対の突起部と、この一対の各突起部中にそれぞれ形成された空洞部３１ａとを有している。この第１変形部３１も、これら全体のばね定数（弾性係数）Ｋ１が第２変形部３２のばね定数（弾性係数）Ｋ２よりも小さく（Ｋ１＜Ｋ２）形成されている。
【００５３】
これにより、弾性変形部３０は、実施形態１と同様、鍵２が予め定められた強さの押鍵力で押鍵されたときに、図９に示すように、第１変形部３１のみが弾性変形しながら、第１変形部３１が鍵当接摺動部２３の上側の円弧面に弾接して相対的に摺動する。また、この弾性変形部３０は、鍵２が予め定められた強さの押鍵力よりも強い押鍵力で押鍵されたときに、図１０に示すように、第１変形部３１と共に第２変形部３２も弾性変形しながら、第１変形部３１が鍵当接摺動部２３の上側の円弧面に弾接して相対的に摺動する。
【００５４】
なお、この弾性変形部３０も、鍵２が予め定められた強さの押鍵力よりも弱い押鍵力で押鍵されたときに、図示しないが、第１変形部３１と第２変形部３２とのいずれも弾性変形せずに、第１変形部３１が鍵当接摺動部２３の上側の円弧面に接触した状態で、鍵当接摺動部２３を押し下げながら相対的に摺動する。
【００５５】
このような鍵盤装置においても、実施形態１と同様、押鍵操作によってハンマー部材３が鍵２にアクション荷重を付与しながら、ハンマー部材３の鍵当接摺動部２３が鍵２のハンマーガイド部１７のガイド枠１９に沿って押し下げられながら摺動する際、鍵２の押鍵力に応じてガイド枠１９に設けられた弾性変形部３０が弾性変形することにより、鍵２に付与される反力のタイミングを押鍵力に応じてずらすことができるので、押鍵操作時に鍵２を強く押鍵しても弱く押鍵しても、鍵２に付与される反力のタイミングをほぼ一定の状態に近づけることができる。
【００５６】
この場合、ハンマーガイド部１７のガイド枠１９に設けられた弾性変形部３０は、鍵２に対する押鍵力が予め定められた強さの押鍵力で押鍵されたときに弾性変形する第１変形部３１と、予め定められた強さの押鍵力よりも強い押鍵力で押鍵されたときに第１変形部３１と共に弾性変形する第２変形部３２とを備えていることにより、鍵２を予め定められた強さの押鍵力で押鍵したときに第１変形部３１のみを弾性変形させることができ、また鍵２を予め定められた強さの押鍵力よりも強い押鍵力で押鍵したときに第１、第２の各変形部３１、３２の両方を弾性変形させることができる。
【００５７】
このため、押鍵操作時にハンマー本体２０によって鍵２に付与される反力が最大になった時点（図６に示したＨ１、Ｈ３）から、ゴムスイッチ４によって鍵２に付与される反力が最大になる時点（図６に示したＨ２、Ｈ４）までの間に、弾性変形部３０が押鍵力に応じて順次、弾性変形することにより、鍵２に付与される反力のタイミングを遅らせることができる。これにより、ハンマー本体２０によって鍵２に付与される反力が最大になった時点から、ゴムスイッチ４によって鍵２に付与される反力が最大になる時点までの間の時間、つまり反力の遅れ時間（図６に示したＴ１、Ｔ２）をほぼ同じ時間（Ｔ１≒Ｔ２）に近づけることができる。
【００５８】
すなわち、鍵２を予め定められた強さの押鍵力で押鍵したときには、その押鍵力に応じて弾性変形部３０の第１変形部３１のみが弾性変形するので、この第１変形部３１の弾性変形に応じて鍵２に付与される反力（図６(ａ)に示したＨ２）のタイミングを遅らせることができる。これにより、鍵２を予め定められた強さの押鍵力で押鍵したときの反力の遅れ時間（図６(ａ)に示したＴ１）を、鍵２を予め定められた押鍵力よりも弱い押鍵力で押鍵したときとの反力の遅れ時間とほぼ同じ時間に近づけることができる。
【００５９】
また、鍵２を予め定められた強さの押鍵力よりも強い押鍵力で押鍵したときには、その押鍵力に応じて弾性変形部３０の第１変形部３１と第２変形部３２との両方が弾性変形するので、この第１、第２の各変形部３１、３２の両方による弾性変形に応じて鍵２に付与される反力（図６(ｂ)に示したＨ４）のタイミングを十分に遅らせることができる。これにより、鍵２を予め定められた強さの押鍵力よりも強い押鍵力で押鍵したときの反力の遅れ時間（図６(ｂ)に示したＴ２）を、鍵２を予め定められた強さの押鍵力で押鍵したときとの反力の遅れ時間（図６(ａ)に示したＴ１）とほぼ同じ時間（Ｔ２≒Ｔ１）に近づけることができる。
【００６０】
なお、前記実施形態１、２では、弾性変形部２５、３０の第１変形部２７、３１が、第２変形部２８、３２の上面（または下面）に連続して形成された一対の突起部中にそれぞれ空洞部２７ａ、３１ａを形成した場合について述べたが、これに限らず、例えば図１１に示す第１変形例のように、第１変形部３５は、第２変形部２８、３２の上面（または下面）に幅の狭い一対の突起部を設け、この一対の突起部中に空洞部２７ａ、３１ａを形成しない構成でも良い。この場合にも、幅Ｗの狭い一対の突起部からなる第１変形部３５は、これら全体のばね定数（弾性係数）Ｋ１が第２変形部２８、３２のばね定数（弾性係数）Ｋ２よりも小さく（Ｋ１＜Ｋ２）形成されていれば良い。
【００６１】
また、前記実施形態１、２およびその変形例では、弾性変形部２５、３０の第１変形部２７、３１が、第２変形部２８、３２の上面（または下面）における両側に一対の突起部を前後方向に沿って連続させて設けた場合について述べたが、これに限らず、図１２に示す第２変形例のように、第２変形部２８、３２の上面（または下面）における中間部に１つの突起部を前後方向に沿って連続させて設けた構成でも良い。
【００６２】
この場合においても、第１変形部３６は、１つの突起部中に空洞部３６ａを設けた構成でも良く、また図示しないが、空洞部３６ａを設けていない構成でも良い。これらいずれの場合においても、第１変形部３６は、これら全体のばね定数（弾性係数）Ｋ１が第２変形部２８、３２のばね定数（弾性係数）Ｋ２よりも小さく（Ｋ１＜Ｋ２）形成されていれば良い。
【００６３】
さらに、前記実施形態１、２およびその各変形例では、第１変形部２７、３１が、第２変形部２８、３２の上面に一対の突起部を前後方向に連続させて設けた場合について述べたが、これに限らず、例えば図１３に示す第３変形例のように、第１変形部３７は、第２変形部２８、３２の上面（または下面）に突起部を所定間隔ごとに不連続状態で複数設けた構成でも良い。この場合にも、第１変形部３７は、これら全体のばね定数（弾性係数）Ｋ１が第２変形部２８、３２のばね定数（弾性係数）Ｋ２よりも小さく（Ｋ１＜Ｋ２）形成されていれば良い。
【符号の説明】
【００６４】
１  鍵盤シャーシ
２  鍵
３  ハンマー部材
４  ゴムスイッチ
１７  ハンマーガイド部
１９  ガイド枠
２０  ハンマー本体
２１  錘部
２２  回動支持部
２３  鍵当接摺動部
２５、３０  弾性変形部
２７、３１、３５、３６、３７  第１変形部
２７ａ、３１ａ  空洞部
２８、３２  第２変形部
【図１】
2010160260.tif 000003
【図２】
2010160260.tif 000004
【図３】
2010160260.tif 000005
【図４】
2010160260.tif 000006
【図５】
2010160260.tif 000007
【図６】
2010160260.tif 000008
【図７】
2010160260.tif 000009
【図８】
2010160260.tif 000010
【図９】
2010160260.tif 000011
【図１０】
2010160260.tif 000012
【図１１】
2010160260.tif 000013
【図１２】
2010160260.tif 000014
【図１３】
2010160260.tif 000015